(57)【要約】      （修正有）【課題】ボリューム・ディスカウント制度を有効利用でき、ＦＣ加盟料の計算の負担が軽減でき、ＦＣ間の品質保持やブランド統一に有効なランチャイズ型団体専用仲介装置、フランチャイズ型団体専用仲介プログラム、記憶媒体及びフランチャイズ型団体専用仲介方法を提供する。【解決手段】フランチャイズ型団体専用仲介装置は、フランチャイズ型団体専用のオンラインモールを各々の通信端末機に表示するオンラインモール表示手段と、オンラインモールに入力された所定期間内の納品情報を納品者Ｈ０３ごとにそれぞれ集計して得た納品者別請求額を含む基本請求情報を作成する基本請求処理手段と、所定期間内の納品情報に基づき加盟者Ｈ０２ごとにそれぞれ集計して得た加盟者別個別請求額に仲介者Ｈ０５の利益となる仲介料を加算して得た第１加工個別請求額及び第１加工合計請求額を含む第１加工請求情報を作成する第１加工請求処理手段と、を備える。【選択図】図１
2014010726.tif 000002
【特許請求の範囲】
【請求項１】
フランチャイズ型団体に加盟する複数の加盟者にノウハウを提供するノウハウ提供者により選定された複数の選定品（選定サービスを含む。）が出品される前記フランチャイズ型団体専用のオンラインモールを、前記複数の加盟者がそれぞれ操作する複数の加盟者用通信端末機、前記複数の選定品をそれぞれ納品する複数の納品者が操作する複数の納品者用通信端末機、前記ノウハウ提供者が操作するノウハウ提供者用通信端末機及び前記オンラインモールを提供する仲介者が操作する仲介者用通信端末機に表示するオンラインモール表示手段と、
前記加盟者用通信端末機から前記オンラインモールに入力された所定期間内の発注情報又は前記納品者用通信端末機から前記オンラインモールに入力された所定期間内の納品情報のいずれか一方の所定期間内の取引情報を前記納品者ごとにそれぞれ集計して得た納品者別請求額を含む基本請求情報を前記納品者ごとに作成すると共に、前記納品者から前記仲介者に請求する前記基本請求情報を前記複数の納品者用通信端末機及び前記仲介者用通信端末機のうちの少なくとも前記複数の納品者用通信端末機に送信する基本請求処理手段と、
前記一方の所定期間内の取引情報に基づき前記加盟者ごとにそれぞれ集計して得た加盟者別個別請求額に前記仲介者の利益となる仲介料を加算して得た第１加工個別請求額及び複数の前記第１加工個別請求額を合計して得た第１加工合計請求額を含む第１加工請求情報を作成すると共に、前記仲介者から前記ノウハウ提供者に請求する前記第１加工請求情報を前記仲介者用通信端末機及び前記ノウハウ提供者用通信端末機に送信する第１加工請求処理手段と、
を備えることを特徴とするフランチャイズ型団体専用仲介装置。
【請求項２】
前記加盟者が前記オンラインモールの外部で行った外部選定品の取引により生じた所定期間内の外部発注情報又は所定期間内の外部納品情報のいずれか一方の所定期間内の外部取引情報を、前記外部選定品を納品する外部納品者ごとにそれぞれ集計して得た外部納品者別請求額を含む外部請求情報を前記外部納品者ごとに取り込む外部取引情報取込手段と、を更に備えており、
前記第１加工請求処理手段は、前記一方の所定期間内の取引情報だけでなく、前記一方の所定期間内の外部取引情報にも基づいて前記第１加工請求情報を作成する
ことを特徴とする請求項１に記載のフランチャイズ型団体専用仲介装置。
【請求項３】
前記第１加工個別請求額に前記ノウハウ提供者の利益となる前記選定品の許諾料を加算して得た第２加工個別請求額を含む第２加工請求情報を前記加盟者ごとに作成すると共に、前記ノウハウ提供者から前記加盟者に請求する前記第２加工請求情報を前記仲介者用通信端末機、前記ノウハウ提供者用通信端末機及び前記複数の納品者用通信端末機のうちの少なくとも前記ノウハウ提供者用通信端末機に送信する第２加工請求処理手段と、
を更に備えることを特徴とする請求項１又は請求項２に記載のフランチャイズ型団体専用仲介装置。
【請求項４】
前記第２加工請求処理手段は、前記オンラインモールにログインする際に入力されるログイン情報から特定された前記加盟者、前記選定品又は前記外部選定品に応じて、前記許諾料を変更する
ことを特徴とする請求項３に記載のフランチャイズ型団体専用仲介装置。
【請求項５】
前記複数の加盟者間で共通する共通表示情報及び前記加盟者ごとに異なる個別表示情報により構成される名刺、看板、チラシ、封筒その他の制作物が前記選定品として前記オンラインモールに出品される場合に、
前記ノウハウ提供者用通信端末機から行われる前記共通表示情報の修正入力に応じて、前記共通表示情報を修正する共通表示情報修正手段と、
前記ノウハウ提供者用通信端末機又は前記加盟者用通信端末機又は前記ノウハウ提供者用通信端末機から行われる前記個別表示情報の修正入力に応じて、前記個別表示情報を修正する個別表示情報修正手段と、
前記共通表示情報及び個別表示情報を記憶する表示情報記憶手段と、
を更に備えることを特徴とする請求項１から請求項４のいずれか１項に記載のフランチャイズ型団体専用仲介装置。
【請求項６】
前記選定品の種類情報を含む新たな選定品情報の入力に応じて、前記オンラインモールに出品されている前記選定品に関する選定品情報から前記新たな選定品情報と同一の前記種類情報を有する選定品情報を検出する同一種検出手段と、
前記検出結果から前記同一の種類情報を有する選定品情報がないことが確認されたことを条件に、前記新たな選定品情報に関する選定品を前記オンラインモールに出品する出品手段と、
を更に備えることを特徴とする請求項１から請求項３のいずれか１項に記載のフランチャイズ型団体専用仲介装置。
【請求項７】
フランチャイズ型団体に加盟する複数の加盟者にノウハウを提供するノウハウ提供者により選定された複数の選定品（選定サービスを含む。）が出品される前記フランチャイズ型団体専用のオンラインモールを、前記複数の加盟者がそれぞれ操作する複数の加盟者用通信端末機、前記複数の選定品をそれぞれ納品する複数の納品者が操作する複数の納品者用通信端末機、前記ノウハウ提供者が操作するノウハウ提供者用通信端末機及び前記オンラインモールを提供する仲介者が操作する仲介者用通信端末機に表示するオンラインモール表示手段と、
前記加盟者用通信端末機から前記オンラインモールに入力された所定期間内の発注情報又は前記納品者用通信端末機から前記オンラインモールに入力された所定期間内の納品情報のいずれか一方の所定期間内の取引情報を前記納品者ごとにそれぞれ集計して得た納品者別請求額を含む基本請求情報を前記納品者ごとに作成すると共に、前記納品者から前記仲介者に請求する前記基本請求情報を前記複数の納品者用通信端末機及び前記仲介者用通信端末機のうちの少なくとも前記複数の納品者用通信端末機に送信する基本請求処理手段と、
前記一方の所定期間内の取引情報に基づき前記加盟者ごとにそれぞれ集計して得た加盟者別個別請求額に前記仲介者の利益となる仲介料を加算して得た第１加工個別請求額及び複数の前記第１加工個別請求額を合計して得た第１加工合計請求額を含む第１加工請求情報を作成すると共に、前記仲介者から前記ノウハウ提供者に請求する前記第１加工請求情報を前記仲介者用通信端末機及び前記ノウハウ提供者用通信端末機に送信する第１加工請求処理手段と、
を備えるフランチャイズ型団体専用仲介装置としてコンピュータを機能させるためのフランチャイズ型団体専用仲介プログラム。
【請求項８】
請求項７に記載のフランチャイズ型団体専用仲介プログラムを記憶することを特徴とする記憶媒体。
【請求項９】
フランチャイズ型団体に加盟する複数の加盟者にノウハウを提供するノウハウ提供者により選定された複数の選定品（選定サービスを含む。）が出品される前記フランチャイズ型団体専用のオンラインモールを、前記複数の加盟者がそれぞれ操作する複数の加盟者用通信端末機、前記複数の選定品をそれぞれ納品する複数の納品者が操作する複数の納品者用通信端末機、前記ノウハウ提供者が操作するノウハウ提供者用通信端末機及び前記オンラインモールを提供する仲介者が操作する仲介者用通信端末機に表示するオンラインモール表示ステップと、
前記加盟者用通信端末機から前記オンラインモールに入力された所定期間内の発注情報又は前記納品者用通信端末機から前記オンラインモールに入力された所定期間内の納品情報のいずれか一方の所定期間内の取引情報を前記納品者ごとにそれぞれ集計して得た納品者別請求額を含む基本請求情報を前記納品者ごとに作成すると共に、前記納品者から前記仲介者に請求する前記基本請求情報を前記複数の納品者用通信端末機及び前記仲介者用通信端末機のうちの少なくとも前記複数の納品者用通信端末機に送信する基本請求処理ステップと、
前記一方の所定期間内の取引情報に基づき前記加盟者ごとにそれぞれ集計して得た加盟者別個別請求額に前記仲介者の利益となる仲介料を加算して得た第１加工個別請求額及び複数の前記第１加工個別請求額を合計して得た第１加工合計請求額を含む第１加工請求情報を作成すると共に、前記仲介者から前記ノウハウ提供者に請求する前記第１加工請求情報を前記仲介者用通信端末機及び前記ノウハウ提供者用通信端末機に送信する第１加工請求処理ステップと、
を備えることを特徴とするフランチャイズ型団体専用仲介方法。
【発明の詳細な説明】
【技術分野】
【０００１】
本発明は、フランチャイズ型団体専用仲介装置、フランチャイズ型団体専用仲介プログラム、記憶媒体及びフランチャイズ型団体専用仲介方法に係り、特に、フランチャイザー（ＦＣ本部）が選定した選定品をフランチャイジー（ＦＣ加盟店）が購入する際に好適に利用できるフランチャイズ型団体専用仲介装置、フランチャイズ型団体専用仲介プログラム、記憶媒体及びフランチャイズ型団体専用仲介方法に関する。
【背景技術】
【０００２】
特許文献１の段落００３４〜００６９には、フランチャイズ・チェーン（ＦＣ）に加盟する加盟者（ＦＣ加盟店）が商品を製作する際に必要な資材（ＦＣ本部が選定した選定品）を注文する資材調達システムが開示されている。
【０００３】
従来の資材調達システムは、ネットワークを介してそれぞれ接続された、商社（ＦＣ本部）の拠点に備える商社端末と、加盟者が有する加盟者端末と、資材提供業者（納品者）が有するメーカ端末と、通信ネットワークに提供されるＷＷＷサイトである販売センターと、により構成される。
【０００４】
また、従来の資材調達システムにおいては、加盟者端末から販売センターに資材の発注情報が送信されると、発注された資材を提供する資材提供業者のメーカ端末及び商社端末に販売センターが発注情報を電子メールで通知する。また、メーカ端末から販売センターに出荷情報が送信されると、販売センターが資材を発注した加盟者の加盟者端末及び商社端末に出荷情報を通知すると共に、加盟者端末に請求情報を通知する。
【先行技術文献】
【特許文献】
【０００５】
【特許文献１】特開２００２−１３３２１１号公報
【発明の概要】
【発明が解決しようとする課題】
【０００６】
しかしながら、従来の資材調達システムにおいては、資材提供業者から各々の加盟者に発注ごとに資材提供費用が請求されるため、ＦＣ加盟店の店舗数がいくら多くても、取引において一般的なボリューム・ディスカウント制度を有効利用することが困難であるという問題があった。
【０００７】
また、従来の資材調達システムにおいては、資材提供業者から各々の加盟者に発注ごとに資材提供費用が請求されるため、発注額に応じてＦＣ加盟料（選定品の許諾料）を決定する場合、商社又は加盟者が行うＦＣ加盟料の計算が極めて煩雑になるという問題があった。この問題は、ＦＣ加盟店の店舗数や発注回数が多くなるほど煩雑になりやすく、ＦＣ加盟料の計算に必要な処理時間や人員も増加するため、人件費が上昇するおそれがあった。
【０００８】
また、従来の資材調達システムにおいては、ＦＣ間の品質保持やブランド統一など、ＦＣであるが故に生じる上記の問題以外の種々の問題点を解決することができなかった。
【０００９】
そこで、本発明はこれらの点に鑑みてなされたものであり、フランチャイズ型団体であるが故に生じる問題点を解決することができるフランチャイズ型団体専用仲介装置、フランチャイズ型団体専用仲介プログラム、記憶媒体及びフランチャイズ型団体専用仲介方法を提供することを本発明の目的としている。
【課題を解決するための手段】
【００１０】
（１）前述した目的を達成するため、本発明のフランチャイズ型団体専用仲介装置は、フランチャイズ型団体に加盟する複数の加盟者にノウハウを提供するノウハウ提供者により選定された複数の選定品（選定サービスを含む。）が出品されるフランチャイズ型団体専用のオンラインモールを、複数の加盟者がそれぞれ操作する複数の加盟者用通信端末機、複数の選定品をそれぞれ納品する複数の納品者が操作する複数の納品者用通信端末機、ノウハウ提供者が操作するノウハウ提供者用通信端末機及びオンラインモールを提供する仲介者が操作する仲介者用通信端末機に表示するオンラインモール表示手段と、加盟者用通信端末機からオンラインモールに入力された所定期間内の発注情報又は納品者用通信端末機からオンラインモールに入力された所定期間内の納品情報のいずれか一方の所定期間内の取引情報を納品者ごとにそれぞれ集計して得た納品者別請求額を含む基本請求情報を納品者ごとに作成すると共に、納品者から仲介者に請求する基本請求情報を複数の納品者用通信端末機及び仲介者用通信端末機のうちの少なくとも複数の納品者用通信端末機に送信する基本請求処理手段と、一方の所定期間内の取引情報に基づき加盟者ごとにそれぞれ集計して得た加盟者別個別請求額に仲介者の利益となる仲介料を加算して得た第１加工個別請求額及び複数の第１加工個別請求額を合計して得た第１加工合計請求額を含む第１加工請求情報を作成すると共に、仲介者からノウハウ提供者に請求する第１加工請求情報を仲介者用通信端末機及びノウハウ提供者用通信端末機に送信する第１加工請求処理手段と、を備えることを特徴とする。
【００１１】
これにより、多数の加盟者の発注により生じた基本請求情報に基づく請求者が多数の納品者から１人の仲介者になるため、ノウハウ提供者が支払う請求額を１本化することができる。また、基本請求情報に基づく被請求者も多数の加盟者から１人の仲介者になるため、ボリューム・ディスカウント制度を有効利用しやすくなる。また、第１加工請求処理手段が仲介料を含む第１加工個別請求額及び第１加工合計請求額を作成するため、仲介料の計算、加盟者ごとの請求の仕分け及び加盟者ごとの許諾料の計算の手間を排除又は軽減させることができる。
【００１２】
（２）また、本発明のフランチャイズ型団体専用仲介装置は、加盟者がオンラインモールの外部で行った外部選定品の取引により生じた所定期間内の外部発注情報又は所定期間内の外部納品情報のいずれか一方の所定期間内の外部取引情報を、外部選定品を納品する外部納品者ごとにそれぞれ集計して得た外部納品者別請求額を含む外部請求情報を外部納品者ごとに取り込む外部取引情報取込手段と、を更に備えており、第１加工請求処理手段は、一方の所定期間内の取引情報だけでなく、一方の所定期間内の外部取引情報にも基づいて第１加工請求情報を作成する、ことが好ましい。
【００１３】
これにより、オンラインモール内の取引として処理することが困難な水道光熱費など外部納品情報についても、多数の加盟者の発注により生じた基本請求情報に基づく請求者が多数の納品者から１人の仲介者になるため、ノウハウ提供者が支払う請求額を１本化することができる。
【００１４】
（３）また、本発明のフランチャイズ型団体専用仲介装置は、第１加工個別請求額にノウハウ提供者の利益となる選定品の許諾料を加算して得た第２加工個別請求額を含む第２加工請求情報を加盟者ごとに作成すると共に、ノウハウ提供者から加盟者に請求する第２加工請求情報を仲介者用通信端末機、ノウハウ提供者用通信端末機及び複数の納品者用通信端末機のうちの少なくともノウハウ提供者用通信端末機に送信する第２加工請求処理手段と、を更に備えることが好ましい。
【００１５】
これにより、許諾料を加算する手間を排除することができる。
【００１６】
（４）また、第２加工請求処理手段は、オンラインモールにログインする際に入力されるログイン情報から特定された加盟者、選定品又は外部選定品に応じて、許諾料を変更することが好ましい。
【００１７】
これにより、加盟者に応じて許諾料を個別計算する手間を排除することができる。
【００１８】
（５）また、本発明のフランチャイズ型団体専用仲介装置は、複数の加盟者間で共通する共通表示情報及び加盟者ごとに異なる個別表示情報により構成される名刺、看板、チラシ、封筒その他の制作物が選定品としてオンラインモールに出品される場合に、ノウハウ提供者用通信端末機から行われる共通表示情報の修正入力に応じて、共通表示情報を修正する共通表示情報修正手段と、ノウハウ提供者用通信端末機又は加盟者用通信端末機又はノウハウ提供者用通信端末機から行われる個別表示情報の修正入力に応じて、個別表示情報を修正する個別表示情報修正手段と、共通表示情報及び個別表示情報を記憶する表示情報記憶手段と、を更に備えることが好ましい。
【００１９】
これにより、加盟者間のブランドの統一性を損なうことを防止することができる。
【００２０】
（６）また、本発明のフランチャイズ型団体専用仲介装置は、選定品の種類情報を含む新たな選定品情報の入力に応じて、オンラインモールに出品されている選定品に関する選定品情報から新たな選定品情報と同一の種類情報を有する選定品情報を検出する同一種検出手段と、検出結果から同一の種類情報を有する選定品情報がないことが確認されたことを条件に、新たな選定品情報に関する選定品をオンラインモールに出品する出品手段と、を更に備えることが好ましい。
【００２１】
これにより、同一種類の選定品の納品者が単一になるため、ボリューム・ディスカウント制度をより有効に利用することができると共に、選定品の品質保持を容易に行うことができる。
【００２２】
（７）また、前述した目的を達成するため、本発明のフランチャイズ型団体専用仲介プログラムは、上記した本発明のフランチャイズ型団体専用仲介装置としてコンピュータを機能させるためのプログラムであることを特徴とする。
【００２３】
これにより、多数の加盟者の発注により生じた基本請求情報に基づく請求者が多数の納品者から１人の仲介者になるため、ノウハウ提供者が支払う請求額を１本化することができる。また、基本請求情報に基づく被請求者も多数の加盟者から１人の仲介者になるため、ボリューム・ディスカウント制度を有効利用しやすくなる。また、第１加工請求処理手段が仲介料を含む第１加工個別請求額及び第１加工合計請求額を作成するため、仲介料の計算、加盟者ごとの請求の仕分け及び加盟者ごとの許諾料の計算の手間を排除又は軽減させることができる。
【００２４】
（８）また、前述した目的を達成するため、本発明の記憶媒体は、上記した本発明のフランチャイズ型団体専用仲介プログラムを記憶することを特徴とする。
【００２５】
これにより、多数の加盟者の発注により生じた基本請求情報に基づく請求者が多数の納品者から１人の仲介者になるため、ノウハウ提供者が支払う請求額を１本化することができる。また、基本請求情報に基づく被請求者も多数の加盟者から１人の仲介者になるため、ボリューム・ディスカウント制度を有効利用しやすくなる。また、第１加工請求処理手段が仲介料を含む第１加工個別請求額及び第１加工合計請求額を作成するため、仲介料の計算、加盟者ごとの請求の仕分け及び加盟者ごとの許諾料の計算の手間を排除又は軽減させることができる。
【００２６】
（９）また、前述した目的を達成するため、本発明のフランチャイズ型団体専用仲介方法は、フランチャイズ型団体に加盟する複数の加盟者にノウハウを提供するノウハウ提供者により選定された複数の選定品（選定サービスを含む。）が出品されるフランチャイズ型団体専用のオンラインモールを、複数の加盟者がそれぞれ操作する複数の加盟者用通信端末機、複数の選定品をそれぞれ納品する複数の納品者が操作する複数の納品者用通信端末機、ノウハウ提供者が操作するノウハウ提供者用通信端末機及びオンラインモールを提供する仲介者が操作する仲介者用通信端末機に表示するオンラインモール表示ステップと、加盟者用通信端末機からオンラインモールに入力された所定期間内の発注情報又は納品者用通信端末機からオンラインモールに入力された所定期間内の納品情報のいずれか一方の所定期間内の取引情報を納品者ごとにそれぞれ集計して得た納品者別請求額を含む基本請求情報を納品者ごとに作成すると共に、納品者から仲介者に請求する基本請求情報を複数の納品者用通信端末機及び仲介者用通信端末機のうちの少なくとも複数の納品者用通信端末機に送信する基本請求処理ステップと、一方の所定期間内の取引情報に基づき加盟者ごとにそれぞれ集計して得た加盟者別個別請求額に仲介者の利益となる仲介料を加算して得た第１加工個別請求額及び複数の第１加工個別請求額を合計して得た第１加工合計請求額を含む第１加工請求情報を作成すると共に、仲介者からノウハウ提供者に請求する第１加工請求情報を仲介者用通信端末機及びノウハウ提供者用通信端末機に送信する第１加工請求処理ステップと、を備えることを特徴とする。
【００２７】
これにより、多数の加盟者の発注により生じた基本請求情報に基づく請求者が多数の納品者から１人の仲介者になるため、ノウハウ提供者が支払う請求額を１本化することができる。また、基本請求情報に基づく被請求者も多数の加盟者から１人の仲介者になるため、ボリューム・ディスカウント制度を有効利用しやすくなる。また、第１加工請求処理手段が仲介料を含む第１加工個別請求額及び第１加工合計請求額を作成するため、仲介料の計算、加盟者ごとの請求の仕分け及び加盟者ごとの許諾料の計算の手間を排除又は軽減させることができる。
【発明の効果】
【００２８】
本発明のフランチャイズ型団体専用仲介装置、フランチャイズ型団体専用仲介プログラム、記憶媒体及びフランチャイズ型団体専用仲介方法によれば、フランチャイズ型団体であるが故に生じる問題点を解決することができるという効果を奏する。
【図面の簡単な説明】
【００２９】
【図１】図１は、本実施形態のフランチャイズ型団体専用仲介装置を操作するノウハウ提供者、加盟者、納品者、外部納品者及び仲介者の関係を示すブロック図である。
【図２】図２は、本実施形態のフランチャイズ型団体専用仲介装置の一般的構成を示す概念図である。
【図３】図３は、本実施形態のフランチャイズ型団体専用仲介装置の具体的構成を示す概念図である。
【図４】図４は、オンラインモールの選定品表示画面を示すイメージ図である。
【図５】図５は、オンラインモールの納品者管理画面を示すイメージ図である。
【図６】図６は、請求及び支払の関係を示すブロック図である。
【図７】図７は、月次入金検索画面を示すイメージ図である。
【図８】図８は、月次入金検索結果画面を示すイメージ図である。
【図９】図９は、本実施形態のフランチャイズ型団体専用仲介装置による請求処理フローを示すフローチャートである。
【発明を実施するための形態】
【００３０】
以下、本発明のフランチャイズ型団体専用仲介装置、フランチャイズ型団体専用仲介プログラム、記憶媒体及びフランチャイズ型団体専用仲介方法をその一実施形態により説明する。
【００３１】
［フランチャイズ型団体専用仲介装置１１の構成］
［定義］
はじめに、図１を用いて、本実施形態の説明に使用される語句を定義する。
【００３２】
図１は、本実施形態のフランチャイズ型団体専用仲介装置１１を操作するノウハウ提供者Ｈ０１、加盟者Ｈ０２、納品者Ｈ０３、外部納品者Ｈ０４及び仲介者Ｈ０５の関係を示すブロック図である。
【００３３】
フランチャイズ型団体とは、主として、１のＦＣ（フランチャイズ・チェーン）本部（ノウハウ提供者Ｈ０１）と多数のＦＣ加盟店（加盟者Ｈ０２）により構成される事業団体である。ただし、フランチャイズ型団体においてフランチャイズ契約が存在する必要はない。例えば、１の団体管理者（ノウハウ提供者Ｈ０１）と多数の団体構成員（加盟者Ｈ０２）とにより任意団体を構成しており、その任意団体がフランチャイズ型団体専用仲介装置１１を利用することによる仲介料及び許諾料の徴収に反対しない場合、その任意団体は上記のフランチャイズ型団体に含まれる。
【００３４】
オンラインモールとは、複数の納品者Ｈ０３が各々管理する複数の電子商取引を一つの電子商取引サイトにまとめることによって、様々な選定品の商取引を可能にするウェブサイトである。本実施形態のオンラインモールは、通常のオンラインモールとは異なり、フランチャイズ型団体専用である。そのため、納品者Ｈ０３が納品物の出品を希望し、仲介者Ｈ０５がそれを許可しても、ノウハウ提供者Ｈ０１の選定がなければ納品物は選定物となり得ないので、本実施形態のオンラインモールに出品することはできない。
【００３５】
ノウハウ提供者Ｈ０１とは、フランチャイズ型団体を管理する者であって、フランチャイズ型団体専用のオンラインモールに出品する選定品を選定する者である。ノウハウ提供者Ｈ０１の一例としては、ＦＣ本部や、任意団体の団体責任者である。ノウハウ提供者Ｈ０１には、法人及び自然人だけでなく、法人格なき団体も含まれる。
【００３６】
選定品とは、ノウハウ提供者Ｈ０１が有する技術的、営業的又は経営的なノウハウに基づいてノウハウ提供者Ｈ０１が開発又は選択した商品、仕入品、制作物、備品その他の物品やサービスである。また、制作物とは、名刺、看板、チラシ、封筒などであり、複数の加盟者Ｈ０２間で共通する共通表示情報及び加盟者Ｈ０２で異なる個別表示情報により構成される物品である。選定品の一例としては、ＦＣ加盟店共通のハンバーガー、コーヒー豆、フランチャイズ型団体に関する商標付紙ナプキン、商標付伝票、商標付名刺などである。
【００３７】
また、選定品には、上記の通り、ノウハウ提供者Ｈ０１が開発等した物品に関するサービスやサービス単体も含む。例えば、選定品が看板の場合、納品される看板だけでなく、その看板を取り付けるサービスも選定品に該当する。また、選定品が店舗の清掃作業の場合、納品される物品がなく、清掃作業のサービスだけであっても選定品に該当する。
【００３８】
なお、仲介者Ｈ０５から紹介された物品やサービスをノウハウ提供者Ｈ０１が選定品として選定した場合も営業的又は経営的なノウハウに基づいてノウハウ提供者Ｈ０１が選択した物品やサービスといえるため、それらも選定品に含まれる。
【００３９】
加盟者Ｈ０２とは、フランチャイズ型団体に加盟する者であって、上記のオンラインモールを介して選定品を発注及び使用することが可能な権利をノウハウ提供者Ｈ０１から与えられる対価として選定品に応じた許諾料をノウハウ提供者Ｈ０１に支払う義務を有する者である。加盟者Ｈ０２の一例としては、上記したＦＣ加盟店や、ＦＣ本部直営店、団体構成員である。加盟者Ｈ０２には、法人及び自然人だけでなく、法人格なき団体も含まれる。
【００４０】
納品者Ｈ０３とは、加盟者Ｈ０２が上記のオンラインモールを介して発注した選定品をその加盟者Ｈ０２に納品する者である。納品者Ｈ０３には、法人及び自然人だけでなく、法人格なき団体も含まれる。また、上記の通り選定品はサービスを含むため、選定品の納品には、物品の納品だけでなく、サービスの提供も含まれる。
【００４１】
外部納品者Ｈ０４とは、加盟者Ｈ０２が上記のオンラインモールを介さずに発注した物品（サービスを含む。）をその加盟者Ｈ０２に納品する者である。
【００４２】
仲介者Ｈ０５とは、フランチャイズ型団体専用のオンラインモールをノウハウ提供者Ｈ０１、加盟者Ｈ０２及び納品者Ｈ０３に提供する対価としてノウハウ提供者Ｈ０１、加盟者Ｈ０２又は納品者Ｈ０３のいずれかの者から仲介料を受領する関係を有する者である。仲介者Ｈ０５には、法人及び自然人だけでなく、法人格なき団体も含まれる。本実施形態において、仲介者Ｈ０５は、ノウハウ提供者Ｈ０１、加盟者Ｈ０２又は納品者Ｈ０３と異なる者である。
【００４３】
［一般的構成］
図２は、本実施形態のフランチャイズ型団体専用仲介装置１１の一般的構成を示す概念図である。
【００４４】
本実施形態のフランチャイズ型団体専用仲介装置１１は、ノウハウ提供者用通信端末機１、加盟者用通信端末機２、納品者用通信端末機３、外部納品者用通信端末機４、仲介者用通信端末機５及びオンラインモールサーバ６に基づいて構成されている。ノウハウ提供者用通信端末機１、加盟者用通信端末機２、納品者用通信端末機３、外部納品者用通信端末機４及び仲介者用通信端末機５は、ノウハウ提供者Ｈ０１、加盟者Ｈ０２、納品者Ｈ０３、外部納品者Ｈ０４及び仲介者Ｈ０５がそれぞれ操作する通信端末機である。
【００４５】
これらノウハウ提供者用通信端末機１、加盟者用通信端末機２、納品者用通信端末機３、外部納品者用通信端末機４、仲介者用通信端末機５及びオンラインモールサーバ６は、コンピュータとしての一般的機能を発揮するため、図示しない中央処理装置、記憶装置、入出力装置及び通信装置などの一般的な構成要素をそれぞれ有している。
【００４６】
また、これらノウハウ提供者用通信端末機１、加盟者用通信端末機２、納品者用通信端末機３及び仲介者用通信端末機５は、フランチャイズ型団体専用のオンラインモールを利用するためにコンピュータネットワークＣＮを介して相互にインターネット接続されている。また、外部納品者用通信端末機４は、仲介者用通信端末機５のみに対して、コンピュータネットワークＣＮを介して相互にインターネット接続されている。
【００４７】
オンラインモールサーバ６は、オンラインモールに関する情報の記憶及び処理を行うインターネットサーバである。このオンラインモールサーバ６は、本実施形態のウェブアプリケーションとしてのフランチャイズ型団体専用仲介プログラムをインストールしている。このフランチャイズ型団体専用仲介プログラムはＣＤやＵＳＢ型メモリなどの記憶媒体に記憶されており、その記憶媒体をオンラインモールサーバ６に接続することにより、このオンラインモールサーバ６がフランチャイズ型団体専用仲介プログラムをインストールすることが可能になっている。
【００４８】
そして、ノウハウ提供者用通信端末機１、加盟者用通信端末機２、納品者用通信端末機３及び仲介者用通信端末機５にインストールされたインターネットブラウザを介して、ノウハウ提供者用通信端末機１、加盟者用通信端末機２、納品者用通信端末機３又は仲介者用通信端末機５がオンラインモールサーバ６にインストールされたフランチャイズ型団体専用仲介プログラムを実行することにより、本実施形態のフランチャイズ型団体専用仲介装置１１が、本実施形態のフランチャイズ型団体専用仲介方法を実現することが可能になっている。
【００４９】
［具体的構成］
図３は、本実施形態のフランチャイズ型団体専用仲介装置１１の具体的構成を示す概念図である。
【００５０】
本実施形態のフランチャイズ型団体専用仲介装置１１は、図２に示すように、オンラインモール表示手段１２、ログイン情報確認手段１３、共通表示情報修正手段１４、個別表示情報修正手段１５、表示情報記憶手段１６、同一種検出手段１７、出品手段１８、情報発信手段１９、発注情報送信手段２０、納品情報送信手段２１、基本請求処理手段２２、外部取引情報取込手段２３、第１加工請求処理手段２４、第２加工請求処理手段２５及び入金情報確認手段２６を備える。
【００５１】
（基本事項）
（オンラインモール表示手段１２）
図４は、オンラインモールの選定品表示画面１２１を示すイメージ図である。
【００５２】
オンラインモール表示手段１２は、ノウハウ提供者用通信端末機１、加盟者用通信端末機２、納品者用通信端末機３及び仲介者用通信端末機５に対し、オンラインモール関連画面を通じてオンラインモールをそれぞれ表示する。オンラインモール関連画面とは、ログイン画面、選定品表示画面１２１、制作物表示画面、加盟者管理画面、納品者管理画面１２２、ノウハウ提供者管理画面、仲介者管理画面などである。また、表示されるオンラインモール関連画面は、ノウハウ提供者用通信端末機１、加盟者用通信端末機２、納品者用通信端末機３及び仲介者用通信端末機５によって、それぞれ異なる。
【００５３】
ログイン画面や選定品表示画面１２１など、ノウハウ提供者Ｈ０１、加盟者Ｈ０２、納品者Ｈ０３及び仲介者Ｈ０５の間で共有化させたい情報に関するオンラインモール関連画面は、すべての通信端末機に表示される。その一方、加盟者管理画面、納品者管理画面１２２、ノウハウ提供者管理画面、仲介者管理画面など、ノウハウ提供者Ｈ０１、加盟者Ｈ０２、納品者Ｈ０３及び仲介者Ｈ０５の間で通常は共有化させない情報に関するオンラインモール関連画面は、そのオンラインモール関連画面を表示させるのに適した通信端末機のみに表示される。
【００５４】
例えば、ノウハウ提供者管理画面は、発注可能な選定品、その選定品を納品する納品者Ｈ０３、その選定品の発注個数、仲介手数料など、ノウハウ提供者Ｈ０１が加盟者Ｈ０２及び納品者Ｈ０３を管理するために必要な情報を表示するため、ノウハウ提供者用通信端末機１のみに表示される。同様に、加盟者管理画面は、選定品の発注状況を管理するために必要な情報を表示するため、加盟者用通信端末機２のみ表示される。納品者管理画面１２２は、選定品の納品状況を管理するために必要な情報を表示するため、納品者用通信端末機３のみ表示される。仲介者管理画面は、オンラインモールに関するすべてを管理するために必要な情報を表示するため、仲介者用通信端末機５のみ表示される。
【００５５】
（ログイン情報確認手段１３）
ログイン情報確認手段１３は、各々の通信端末機に表示されたログイン画面に正規のログイン情報が入力されたとき、ログイン情報からログインした者が誰であるかを特定する。例えば、加盟者用通信端末機２に表示されたログイン画面に正規のログイン情報としてログインＩＤ及びパスワードが入力されると、ログインＩＤ及びパスワードから加盟者用通信端末機２を操作する加盟者Ｈ０２が特定される。
【００５６】
また、ログイン情報確認手段１３は、各々の通信端末機に表示されたログイン画面に正規のログイン情報が入力されたとき、その通信端末機からオンラインモールへのアクセスを許可し、そのログインした者又は仲介者Ｈ０５が初期設定した所望のオンラインモール関連画面をその通信端末機に表示する。例えば、ログインした者が加盟者Ｈ０２の場合、ログイン情報確認手段１３は、加盟者通信端末機２からオンラインモールへのアクセスを許可し、仲介者Ｈ０５が初期設定した選定品表示画面１２１を加盟者通信端末機２に表示する。
【００５７】
アクセス可能なオンラインモールは、フランチャイズ型団体ごとに異なる。オンラインモールに表示される選定物やその価格などの情報はフランチャイズ型団体のノウハウであるため、あるフランチャイズ型団体専用のオンラインモールに他のフランチャイズ型団体のノウハウ提供者や加盟者などがアクセスできないようにログイン情報の入力でそのアクセスが規制されている。
【００５８】
また、選定品表示画面１２１は、加盟者Ｈ０２が属するフランチャイズ型団体専用のオンラインモールにおいて、その加盟者Ｈ０２が発注可能な選定品のカテゴリー、選定品の名称、選定品の写真、選定品の詳細情報、選定品の通常価格とオンラインモール価格（ボリューム・ディスカウントにより通常価格より安い。）、選定品の発注可能個数、選定品の発注決定ボタンなどを表示する。ただし、オンラインモールを介しない直接取引を防止するため、選定品を納品する納品者Ｈ０３の名称などの納品者特定情報は選定品表示画面１２１に表示されない。
【００５９】
また、ログイン情報確認手段１３は、加盟者用通信端末機２からオンラインモールへのアクセスを許可したとき、その加盟者用通信端末機２から選定品の発注を許可する。そのため、この発注許可を与えられることがない納品者Ｈ０３は、オンラインモールへアクセスして選定品を閲覧することができても、選定品を発注することができない。
【００６０】
（制作物関連）
選定品が制作物の場合、その制作物が以前発注した内容と同様でない限り、制作物の発注時に制作物の表示項目を校正する必要が生じる。制作物の表示項目は、複数の加盟者Ｈ０２間で共通する共通表示情報、及び、加盟者Ｈ０２ごとに異なる個別表示情報により構成される。このように、選定品としてオンラインモールに制作物が出品される場合、共通表示情報修正手段１４、個別表示情報修正手段１５及び表示情報記憶手段１６が機能する。
【００６１】
（共通表示情報修正手段１４）
共通表示情報修正手段１４は、制作物表示画面においてノウハウ提供者用通信端末機１から行われる共通表示情報の修正入力に応じて、共通表示情報を修正する。共通表示項目は、フランチャイズ型団体の名称やキャッチフレーズ、イメージカラー、レイアウトなど、フランチャイズ型団体が有するブランド力を発揮する。そのため、ノウハウ提供者Ｈ０１のみに共通表示項目の修正権限が与えられており、加盟者Ｈ０２にその修正権限が与えられていない。したがって、加盟者用通信端末機２から共通表示情報の修正を入力することはできない。
【００６２】
（個別表示情報修正手段１５）
個別表示情報修正手段１５は、制作物表示画面において加盟者用通信端末機２又はノウハウ提供者用通信端末機１から行われる個別表示情報の修正入力に応じて、個別表示情報を修正する。個別表示項目は、加盟者Ｈ０２の住所、電話番号、加盟者Ｈ０２が法人の場合は加盟者Ｈ０２に所属する自然人の氏名、レイアウトなど、ある加盟者Ｈ０２と他の加盟者Ｈ０２とを識別する加盟者Ｈ０２独自の識別力を発揮する。そのため、制作物を発注する加盟者Ｈ０２に個別表示項目の修正権限が与えられる。ただし、個別表示情報にフランチャイズ型団体の誹謗中傷等のノウハウ提供者が希望しない内容が記載されるなど、個別表示情報の表示内容によって共通表示情報が発揮するブランド力が希釈又は毀損されるおそれも考えられるため、ノウハウ提供者Ｈ０１にもその修正権限が与えられている。
【００６３】
（表示情報記憶手段１６）
表示情報記憶手段１６は、制作物表示画面において加盟者用通信端末機２又はノウハウ提供者用通信端末機１から行われる保存入力や表示情報記憶手段１６の自動保存機能により、共通表示情報及び個別表示情報を記憶する。記憶された共通表示情報及び個別表示情報は、加盟者Ｈ０２が制作物を次回発注する際、加盟者用通信端末機２又はノウハウ提供者用通信端末機１から行われる読込入力や自動読込機能により、読み込むことが可能である。
【００６４】
（出品関連）
（同一種検出手段１７）
同一種検出手段１７は、オンラインモールに新たな選定品情報が仲介者用通信端末機５又はノウハウ提供者用通信端末機１から入力されたとき、その選定品情報に含まれる選定品の種類情報とすでにオンラインモールに出品されている選定品に関する選定品情報に含まれる選定品の種類情報とを比較し、それらが同一の種類情報かを検出する。例えば、ある納品者Ｈ０３が選定品としてのティッシュボックスをすでにオンラインモールに出品しており、仲介者用通信端末機５又はノウハウ提供者用通信端末機１からオンラインモールに同一種類のティッシュボックスに関する新たな選定品情報が出品入力されたとき、仲介者用通信端末機５又はノウハウ提供者用通信端末機１には同一種類のティッシュボックスが既に出品されている旨の情報が表示される。
【００６５】
（出品手段１８）
出品手段１８は、同一種検出手段１７による検出結果から同一の種類情報を有する選定品情報がないことが確認されたことを条件に、新たな選定品情報に関する選定品をオンラインモールに出品する。例えば、同一種類のティッシュボックスが既に出品されている旨の情報が仲介者用通信端末機５又はノウハウ提供者用通信端末機１に表示された場合、新たな同一種類のティッシュボックスをオンラインモールに出品することはできない。これは、オンラインモールに同一種類の選定品が複数出品されることを防ぐことによって、ボリューム・ディスカウント制度を有効に利用するための処置である。
【００６６】
（情報発信関連）
（情報発信手段１９）
情報発信手段１９は、ノウハウ提供者用通信端末機１、加盟者用通信端末機２、納品者用通信端末機３又は仲介者用通信端末機５から情報の発信入力がなされたとき、発信入力された情報を他の指定された通信端末機に送信する。情報の内容としては、ノウハウ提供者Ｈ０１からのノウハウレポート、加盟者Ｈ０２からの経営改善レポート、納品者Ｈ０３からの新規選定品の紹介、仲介者Ｈ０５からのオンラインモール関連情報などが挙げられる。情報の発信方法は、主として、メールマガジンなどのメール送信である。
【００６７】
（発注及び納品関連）
（発注情報送信手段２０）
発注情報送信手段２０は、加盟者用通信端末機２から選定品表示画面１２１に選定品の発注情報が入力されたとき、納品者用通信端末機３、加盟者用通信端末機２、ノウハウ提供者用通信端末機１及び仲介者用通信端末機５に発注情報を送信する。発注情報とは、オンラインモールに出品された選定品を購入する際に加盟者Ｈ０２から納品者Ｈ０３に報告する情報であり、少なくとも、選定品の名称及び発注個数を特定した情報である。また、発注情報の送信方法としては、加盟者管理画面、加盟者管理画面、ノウハウ提供者管理画面及び仲介者管理画面への表示、並びに、納品者用通信端末機３、加盟者用通信端末機２、ノウハウ提供者用通信端末機１及び仲介者用通信端末機５への電子メールの送信、などが挙げられる。
【００６８】
（納品情報送信手段２１）
図５は、オンラインモールの納品者管理画面１２２を示すイメージ図である。
【００６９】
納品情報送信手段２１は、納品者管理画面１２２から行った選定品の納品情報の入力に応じて、ノウハウ提供者用通信端末機１、仲介者用通信端末機５、加盟者用通信端末機２及び納品者用通信端末機３に納品情報を送信する。納品情報とは、オンラインモールを介して発注された選定品を納品する際に納品者Ｈ０３から加盟者Ｈ０２に報告する情報であり、少なくとも、選定品の名称、納品個数、発送予定日（又は納品予定日）を特定した情報である。
【００７０】
納品者管理画面１２２には、未発送又は発送済の選定品が一覧になった納品状況一覧表が表示される。また、未発送の納品情報の詳細項目には、発送予定日が入力可能な発送予定日入力欄が設けられていると共に、発送完了ボタンが設けられている。発送完了ボタンを押すことにより納品者Ｈ０３から加盟者Ｈ０２に納品情報が送信されるため、この発送完了ボタンを押すことが上記した選定品の納品情報の入力となる。
【００７１】
また、納品者管理画面１２２においては、発注期間や納品期間などの期間、発送前や発送済などの納品状況、フリーワードの３通りで検索が可能になっている。
【００７２】
納品情報の送信方法としては、加盟者管理画面、納品者管理画面、ノウハウ提供者管理画面及び仲介者管理画面への表示、及び、加盟者用通信端末機２、納品者用通信端末機３、ノウハウ提供者用通信端末機１及び仲介者用通信端末機５への電子メールの送信、などが挙げられる。
【００７３】
なお、発注された選定品は、納品者Ｈ０３から加盟者Ｈ０２に直接納品される。そのため、納品者Ｈ０３から納品された選定品が仲介者Ｈ０５やノウハウ提供者Ｈ０１の在庫になることはない。
【００７４】
（請求関連）
図６は、請求及び支払の関係を示すブロック図である。
【００７５】
（基本請求処理手段２２）
基本請求処理手段２２は、１月間（所定期間内）の納品情報（所定期間内の取引情報）を納品者Ｈ０３ごとにそれぞれ集計して得た基本請求情報を作成する。この基本請求情報は、納品者Ｈ０３が仲介者Ｈ０５に請求するためのｃｓｖファイルデータであり、１月間（所定期間）ごとに納品者Ｈ０３別に集計された各々の選定品の名称、納品個数、請求額（１月間（所定期間）ごとの納品者別請求額）を含む。なお、１月間（所定期間内）の納品情報に換えて、１月間（所定期間内）の発注情報（所定期間内の取引情報）に基づいて基本請求情報を作成してもよい。
【００７６】
また、基本請求処理手段２２は、複数の納品者用通信端末機３及び仲介者用通信端末機５のうちの少なくとも複数の納品者用通信端末機３に、基本請求情報を送信する。納品者Ｈ０３は、この基本請求情報に基づき作成された基本請求書を仲介者Ｈ０５に発行する。
【００７７】
（外部取引情報取込手段２３）
外部取引情報取込手段２３は、加盟者Ｈ０２がオンラインモールの外部で行った選定品（外部選定品）の取引により生じた１月間（所定期間内）の外部取引情報（外部納品情報又は外部発注情報）が仲介者用外部通信端末機５からオンラインモールの仲介者管理画面に入力されたとき、納品者Ｈ０３ごとにそれぞれ集計して得た外部請求情報を取り込む。
【００７８】
外部選定品としては、水道光熱サービスなど、オンラインモールに出品し難い選定品が挙げられる。また、この外部請求情報は、外部納品者Ｈ０４が仲介者Ｈ０５に請求するためのｃｓｖファイルデータであり、１月間（所定期間）ごとに外部納品者別に集計された各々の外部選定品の名称、納品個数、請求額（１月間（所定期間）ごとの外部納品者別請求額）を含む。また、この外部取引情報は、外部納品者用通信端末機４からインターネットを介して仲介者用外部通信端末機５に送信される。
【００７９】
（第１加工請求処理手段２４）
第１加工請求処理手段２４は、１月間（所定期間内）の取引情報及び外部取引情報に基づき加盟者Ｈ０２ごとにそれぞれ集計して得た加盟者別個別請求額に仲介料を加算して得た第１加工請求情報を作成する。仲介料は、オンラインモールを介した取引仲介及び請求仲介により生じる仲介者Ｈ０５の利益であり、請求額に対して一定の割合を乗じて得た変動利益又は固定利益となる。この第１加工請求情報は、仲介者Ｈ０５がノウハウ提供者Ｈ０１に請求するためのｃｓｖファイルデータであり、各々の選定品又は外部選定品の名称、納品個数、加盟者別に集計された個別請求額（１月間（所定期間）ごとの第１加工個別請求額）、複数の第１加工個別請求額を合計して得た第１加工合計請求額、などを含む。
【００８０】
また、第１加工請求処理手段２４は、仲介者用通信端末機５及びノウハウ提供者用通信端末機１に、第１加工請求情報を送信する。仲介者Ｈ０５は、この第１加工請求情報に基づき作成された第１加工請求書をノウハウ提供者Ｈ０１に発行する。また、ノウハウ提供者Ｈ０１は、後述する第２加工請求情報を取得せずとも、この第１加工請求情報から市販の請求書ソフトを利用して第２加工請求情報を作成することが可能になる。
【００８１】
（第２加工請求処理手段２５）
第２加工請求処理手段２５は、第１加工個別請求額に許諾料を加算して得た第２加工請求情報を加盟者Ｈ０２ごとに作成する。許諾料は、加盟者Ｈ０２が選定品を発注及び使用することをノウハウ提供者Ｈ０１が許諾したことにより生じるノウハウ提供者Ｈ０１の利益であり、請求額に対して一定の割合を乗じて得た変動利益又は固定利益となる。また、この第２加工請求情報は、ノウハウ提供者Ｈ０１が加盟者Ｈ０２ごとに請求するためのｃｓｖファイルデータであり、各々の選定品又は外部選定品の名称、納品個数、加盟者別に集計された個別請求額（１月間（所定期間）ごとの第２加工個別請求額）、などを含む。
【００８２】
また、第２加工請求処理手段２５は、仲介者用通信端末機５、ノウハウ提供者用通信端末機１及び複数の納品者用通信端末機３のうちの少なくともノウハウ提供者用通信端末機１に、第２加工請求情報を送信する。ノウハウ提供者Ｈ０１は、この第２加工請求情報に基づき作成された第２加工請求書を、加盟者Ｈ０２ごとに発行する。
【００８３】
なお、第２加工請求処理手段２５は、第２加工請求処理手段２５に予め登録された加盟者Ｈ０２、選定品又は外部選定品に対する変動規則に基づいて許諾料を個別変更することが可能である。例えば、業績の悪い加盟者Ｈ０２に対する許諾料を他の加盟者Ｈ０２の許諾料よりも割安になるように変更規則を設定したり、水道光熱費に対する許諾料が無料となるように変更規則を設定したりすることが可能である。
【００８４】
（入金確認関連）
（入金情報確認手段２６）
図７は、月次入金検索画面を示すイメージ図である。また、図８は、月次入金検索結果画面を示すイメージ図である。
【００８５】
納品者管理画面１２２、仲介者管理画面又はノウハウ提供者管理画面から月次請求画面を選択すると、入金情報確認手段２６は、図７に示すように、月次入金検索画面１３１を表示する。この月次入金検索画面１３１には、少なくとも、月次入金情報を検索したい請求年月日、請求書フォーマット、未入金又は入金済みなどの入金区分、検索ボタンが表示される。
【００８６】
ここで、所定の請求年月日を指定して検索ボタンを押すと、入金情報確認手段２６は、月次入金検索結果画面１３２を表示する。月次入金検索結果画面１３２には、その検索結果に応じて、所定の請求年月日、入金日、入金額、入金区分及び登録ボタンが表示される。月次入金検索結果画面の入金日及び入金額を登録する場合、入金日及び入金額の各入力欄に入力して登録ボタンを押すと、月次入金検索結果画面１３２に表示された入金区分が未入金から入金済みに変更される。この入金区分の変更は、入金管理データベースに反映され、月次入金検索画面１３１にも反映される。
【００８７】
［動作説明］
次に、本実施形態のフランチャイズ型団体専用仲介装置１１による請求処理フローを説明する。
【００８８】
図９は、本実施形態のフランチャイズ型団体専用仲介装置１１による請求処理フローを示すフローチャートである。
【００８９】
基本請求処理手段２２は、納品情報（取引情報）を確認すると共に（Ｓ０１）、前回の請求処理時から１月間（所定期間）が経過したかを確認する（Ｓ０２）。所定期間が経過していない場合、納品者Ｈ０３から基本請求情報の作成を指示する入力がない限り、所定の期間が経過するまで納品情報を確認する（Ｓ０２→Ｓ０１）。
【００９０】
所定期間が経過した場合（又は、納品者Ｈ０３から基本請求情報の作成を指示する入力があった場合）、基本請求処理手段２２は納品者Ｈ０３から仲介者Ｈ０５に請求するための基本請求情報を作成する（Ｓ０２→Ｓ０３）。また、仲介者用通信端末機５から外部取引情報が入力されたとき、外部取引情報取込手段２３は外部取引情報を取り込む（Ｓ０４）。
【００９１】
次に、第１加工請求処理手段２４は、納品情報（取引情報）及び外部取引情報に基づき、仲介者Ｈ０５からノウハウ提供者Ｈ０１に請求するための第１加工請求情報を作成する（Ｓ０５）。この第１加工請求情報に含まれる第１加工合計請求額には、納品者Ｈ０３及び外部納品者Ｈ０４が請求した額に仲介料が加算される。
【００９２】
次に、第２加工請求処理手段２５は、第１加工請求情報に基づき、ノウハウ提供者Ｈ０１から複数の加盟者Ｈ０２にそれぞれ請求するための第２加工請求情報の作成を希望するか否かを確認する（Ｓ０６）。この第２加工請求情報に含まれる第２加工個別請求額には、第１加工個別請求額に許諾料が加算される。第２加工請求情報の作成希望はノウハウ提供者用通信端末機１又は仲介者用通信端末機５から設定が可能である。
【００９３】
第２加工請求情報の作成を希望する場合（Ｓ０６→Ｓ０７）、第２加工請求処理手段２５は第２加工請求情報を作成し（Ｓ０７）、基本請求処理手段２２、第１加工請求処理手段２４及び第２加工請求処理手段２５は各種請求情報を指定の通信端末機に送信する（Ｓ０８）。
【００９４】
一方、第２加工請求情報の作成を希望しない場合（Ｓ０６→Ｓ０８）、第２加工請求処理手段２５は第２加工請求情報を作成せず、基本請求処理手段２２及び第１加工請求処理手段２４は各種請求情報を指定の通信端末機に送信する（Ｓ０８）。
【００９５】
［本実施形態の効果］
次に、本実施形態のフランチャイズ型団体専用仲介装置１１、フランチャイズ型団体専用仲介プログラム、記憶媒体及びフランチャイズ型団体専用仲介方法の効果を説明する。
【００９６】
（１）本実施形態のフランチャイズ型団体専用仲介装置１１は、フランチャイズ型団体に加盟する複数の加盟者Ｈ０２にノウハウを提供するノウハウ提供者Ｈ０１により選定された複数の選定品（選定サービスを含む。）が出品されるフランチャイズ型団体専用のオンラインモールを、複数の加盟者Ｈ０２がそれぞれ操作する複数の加盟者用通信端末機２、複数の選定品をそれぞれ納品する複数の納品者Ｈ０３が操作する複数の納品者用通信端末機３、ノウハウ提供者Ｈ０１が操作するノウハウ提供者用通信端末機１及びオンラインモールを提供する仲介者Ｈ０５が操作する仲介者用通信端末機５に表示するオンラインモール表示手段１２と、加盟者用通信端末機２からオンラインモールに入力された所定期間内の発注情報又は納品者用通信端末機３からオンラインモールに入力された所定期間内の納品情報のいずれか一方の所定期間内の取引情報を納品者Ｈ０３ごとにそれぞれ集計して得た納品者別請求額を含む基本請求情報を納品者Ｈ０３ごとに作成すると共に、納品者Ｈ０３から仲介者Ｈ０５に請求する基本請求情報を複数の納品者用通信端末機３及び仲介者用通信端末機５のうちの少なくとも複数の納品者用通信端末機３に送信する基本請求処理手段２２と、一方の所定期間内の取引情報に基づき加盟者Ｈ０２ごとにそれぞれ集計して得た加盟者別個別請求額に仲介者Ｈ０５の利益となる仲介料を加算して得た第１加工個別請求額及び複数の第１加工個別請求額を合計して得た第１加工合計請求額を含む第１加工請求情報を作成すると共に、仲介者Ｈ０５からノウハウ提供者Ｈ０１に請求する第１加工請求情報を仲介者用通信端末機５及びノウハウ提供者用通信端末機１に送信する第１加工請求処理手段２４と、を備えることを特徴とする。
【００９７】
これにより、多数の加盟者Ｈ０２の発注により生じた基本請求情報に基づく請求者が多数の納品者Ｈ０３から１人の仲介者Ｈ０５になるため、ノウハウ提供者Ｈ０１が支払う請求額を１本化することができる。また、基本請求情報に基づく被請求者も多数の加盟者Ｈ０２から１人の仲介者Ｈ０５になるため、ボリューム・ディスカウント制度を有効利用しやすくなる。また、第１加工請求処理手段２４が仲介料を含む第１加工個別請求額及び第１加工合計請求額を作成するため、仲介料の計算、加盟者Ｈ０２ごとの請求の仕分け及び加盟者Ｈ０２ごとの許諾料の計算の手間を排除又は軽減させることができる。
【００９８】
（２）また、本実施形態のフランチャイズ型団体専用仲介装置１１は、加盟者Ｈ０２がオンラインモールの外部で行った外部選定品の取引により生じた所定期間内の外部発注情報又は所定期間内の外部納品情報のいずれか一方の所定期間内の外部取引情報を、外部選定品を納品する外部納品者Ｈ０４ごとにそれぞれ集計して得た外部納品者別請求額を含む外部請求情報を外部納品者Ｈ０４ごとに取り込む外部取引情報取込手段２３と、を更に備えており、第１加工請求処理手段２４は、一方の所定期間内の取引情報だけでなく、一方の所定期間内の外部取引情報にも基づいて第１加工請求情報を作成する、ことが好ましい。
【００９９】
これにより、オンラインモール内の取引として処理することが困難な水道光熱費など外部納品情報についても、多数の加盟者Ｈ０２の発注により生じた基本請求情報に基づく請求者が多数の納品者Ｈ０３から１人の仲介者Ｈ０５になるため、ノウハウ提供者Ｈ０１が支払う請求額を１本化することができる。
【０１００】
（３）また、本実施形態のフランチャイズ型団体専用仲介装置１１は、第１加工個別請求額にノウハウ提供者Ｈ０１の利益となる選定品の許諾料を加算して得た第２加工個別請求額を含む第２加工請求情報を加盟者Ｈ０２ごとに作成すると共に、ノウハウ提供者Ｈ０１から加盟者Ｈ０２に請求する第２加工請求情報を仲介者用通信端末機５、ノウハウ提供者用通信端末機１及び複数の納品者用通信端末機３のうちの少なくともノウハウ提供者用通信端末機１に送信する第２加工請求処理手段２５と、を更に備えることが好ましい。
【０１０１】
これにより、ノウハウ提供者Ｈ０１が許諾料を加算する手間を排除することができる。
【０１０２】
（４）また、本実施形態のフランチャイズ型団体専用仲介装置１１は、第２加工請求処理手段２５は、オンラインモールにログインする際に入力されるログイン情報から特定された加盟者Ｈ０２、選定品又は外部選定品に応じて、許諾料を変更することが好ましい。
【０１０３】
これにより、ノウハウ提供者Ｈ０１が加盟者Ｈ０２等に応じて許諾料を個別計算する手間を排除することができる。
【０１０４】
（５）また、本実施形態のフランチャイズ型団体専用仲介装置１１は、複数の加盟者Ｈ０２間で共通する共通表示情報及び加盟者Ｈ０２ごとに異なる個別表示情報により構成される名刺、看板、チラシ、封筒その他の制作物が選定品としてオンラインモールに出品される場合に、ノウハウ提供者用通信端末機１から行われる共通表示情報の修正入力に応じて、共通表示情報を修正する共通表示情報修正手段１４と、ノウハウ提供者用通信端末機１又は加盟者用通信端末機２又はノウハウ提供者用通信端末機１から行われる個別表示情報の修正入力に応じて、個別表示情報を修正する個別表示情報修正手段１５と、共通表示情報及び個別表示情報を記憶する表示情報記憶手段１６と、を更に備えることが好ましい。
【０１０５】
これにより、加盟者Ｈ０２間のブランドの統一性を損なうことを防止することができる。
【０１０６】
（６）また、本実施形態のフランチャイズ型団体専用仲介装置１１は、選定品の種類情報を含む新たな選定品情報の入力に応じて、オンラインモールに出品されている選定品に関する選定品情報から新たな選定品情報と同一の種類情報を有する選定品情報を検出する同一種検出手段１７と、検出結果から同一の種類情報を有する選定品情報がないことが確認されたことを条件に、新たな選定品情報に関する選定品をオンラインモールに出品する出品手段１８と、を更に備えることが好ましい。
【０１０７】
これにより、同一種類の選定品の納品者Ｈ０３が単一になるため、ボリューム・ディスカウント制度をより有効に利用することができると共に、選定品の品質保持を容易に行うことができる。
【０１０８】
（７）また、本実施形態のフランチャイズ型団体専用仲介プログラムは、上記した本実施形態のフランチャイズ型団体専用仲介装置１１としてコンピュータを機能させるためのプログラムであることを特徴とする。
【０１０９】
これにより、多数の加盟者Ｈ０２の発注により生じた基本請求情報に基づく請求者が多数の納品者Ｈ０３から１人の仲介者Ｈ０５になるため、ノウハウ提供者Ｈ０１が支払う請求額を１本化することができる。また、基本請求情報に基づく被請求者も多数の加盟者Ｈ０２から１人の仲介者Ｈ０５になるため、ボリューム・ディスカウント制度を有効利用しやすくなる。また、第１加工請求処理手段２４が仲介料を含む第１加工個別請求額及び第１加工合計請求額を作成するため、仲介料の計算、加盟者Ｈ０２ごとの請求の仕分け及び加盟者Ｈ０２ごとの許諾料の計算の手間を排除又は軽減させることができる。
【０１１０】
（８）また、本実施形態の記憶媒体は、上記した本実施形態のフランチャイズ型団体専用仲介プログラムを記憶することを特徴とする。
【０１１１】
これにより、多数の加盟者Ｈ０２の発注により生じた基本請求情報に基づく請求者が多数の納品者Ｈ０３から１人の仲介者Ｈ０５になるため、ノウハウ提供者Ｈ０１が支払う請求額を１本化することができる。また、基本請求情報に基づく被請求者も多数の加盟者Ｈ０２から１人の仲介者Ｈ０５になるため、ボリューム・ディスカウント制度を有効利用しやすくなる。また、第１加工請求処理手段２４が仲介料を含む第１加工個別請求額及び第１加工合計請求額を作成するため、仲介料の計算、加盟者Ｈ０２ごとの請求の仕分け及び加盟者Ｈ０２ごとの許諾料の計算の手間を排除又は軽減させることができる。
【０１１２】
（９）また、本実施形態のフランチャイズ型団体専用仲介方法は、フランチャイズ型団体に加盟する複数の加盟者Ｈ０２にノウハウを提供するノウハウ提供者Ｈ０１により選定された複数の選定品（選定サービスを含む。）が出品されるフランチャイズ型団体専用のオンラインモールを、複数の加盟者Ｈ０２がそれぞれ操作する複数の加盟者用通信端末機２、複数の選定品をそれぞれ納品する複数の納品者Ｈ０３が操作する複数の納品者用通信端末機３、ノウハウ提供者Ｈ０１が操作するノウハウ提供者用通信端末機１及びオンラインモールを提供する仲介者Ｈ０５が操作する仲介者用通信端末機５に表示するオンラインモール表示ステップと、加盟者用通信端末機２からオンラインモールに入力された所定期間内の発注情報又は納品者用通信端末機３からオンラインモールに入力された所定期間内の納品情報のいずれか一方の所定期間内の取引情報を納品者Ｈ０３ごとにそれぞれ集計して得た納品者別請求額を含む基本請求情報を納品者Ｈ０３ごとに作成すると共に、納品者Ｈ０３から仲介者Ｈ０５に請求する基本請求情報を複数の納品者用通信端末機３及び仲介者用通信端末機５のうちの少なくとも複数の納品者用通信端末機３に送信する基本請求処理ステップと、一方の所定期間内の取引情報に基づき加盟者Ｈ０２ごとにそれぞれ集計して得た加盟者別個別請求額に仲介者Ｈ０５の利益となる仲介料を加算して得た第１加工個別請求額及び複数の第１加工個別請求額を合計して得た第１加工合計請求額を含む第１加工請求情報を作成すると共に、仲介者Ｈ０５からノウハウ提供者Ｈ０１に請求する第１加工請求情報を仲介者用通信端末機５及びノウハウ提供者用通信端末機１に送信する第１加工請求処理ステップと、を備えることを特徴とする。
【０１１３】
これにより、多数の加盟者Ｈ０２の発注により生じた基本請求情報に基づく請求者が多数の納品者Ｈ０３から１人の仲介者Ｈ０５になるため、ノウハウ提供者Ｈ０１が支払う請求額を１本化することができる。また、基本請求情報に基づく被請求者も多数の加盟者Ｈ０２から１人の仲介者Ｈ０５になるため、ボリューム・ディスカウント制度を有効利用しやすくなる。また、第１加工請求処理手段２４が仲介料を含む第１加工個別請求額及び第１加工合計請求額を作成するため、仲介料の計算、加盟者Ｈ０２ごとの請求の仕分け及び加盟者Ｈ０２ごとの許諾料の計算の手間を排除又は軽減させることができる。
【０１１４】
すなわち、本実施形態のフランチャイズ型団体専用仲介装置１１、フランチャイズ型団体専用仲介プログラム、記憶媒体及びフランチャイズ型団体専用仲介方法によれば、フランチャイズ型団体であるが故に生じる問題点を解決することができるという効果を奏する。
【０１１５】
なお、本発明は、前述した実施形態などに限定されるものではなく、必要に応じて種々の変更が可能である。
【０１１６】
例えば、他の実施形態において、仲介者は、ノウハウ提供者、加盟者又は納品者のいずれか一者と同じ者であってもよい。
【０１１７】
また、他の実施形態においては、フランチャイズ型団体専用仲介プログラムが、オンラインモールサーバ６ではなく、ノウハウ提供者用通信端末機１、加盟者用通信端末機２、納品者用通信端末機３及び仲介者用通信端末機５にインストールされていていることにより、フランチャイズ型団体専用仲介装置１１がフランチャイズ型団体専用仲介方法を実行してもよい。
【符号の説明】
【０１１８】
１  ノウハウ提供者用通信端末機
２  加盟者用通信端末機
３  納品者用通信端末機
４  外部納品者用通信端末機
５  仲介者用通信端末機
６  オンラインモールサーバ
１１  フランチャイズ型団体専用仲介装置
１２  オンラインモール表示手段
１３  ログイン情報確認手段
１４  共通表示情報修正手段
１５  個別表示情報修正手段
１６  表示情報記憶手段
１７  同一種検出手段
１８  出品手段
１９  情報発信手段
２０  発注情報送信手段
２１  納品情報送信手段
２２  基本請求処理手段
２３  外部取引情報取込手段
２４  第１加工請求処理手段
２５  第２加工請求処理手段
１２１  選定品表示画面
１２２  納品者管理画面
１３１  月次入金検索画面
１３２  月次入金検索結果画面
Ｈ０１  ノウハウ提供者
Ｈ０２  加盟者
Ｈ０３  納品者
Ｈ０４  外部納品者
Ｈ０５  仲介者
【図１】
2014010726.tif 000003
【図２】
2014010726.tif 000004
【図３】
2014010726.tif 000005
【図４】
2014010726.tif 000006
【図５】
2014010726.tif 000007
【図６】
2014010726.tif 000008
【図７】
2014010726.tif 000009
【図８】
2014010726.tif 000010
【図９】
2014010726.tif 000011
【手続補正書】
【提出日】平成24年9月20日(2012.9.20)
【手続補正１】
【補正対象書類名】特許請求の範囲
【補正対象項目名】全文
【補正方法】変更
【補正の内容】
【特許請求の範囲】
【請求項１】
フランチャイズ型団体に加盟する複数の加盟者にノウハウを提供するノウハウ提供者により選定された複数の選定品（選定サービスを含む。）が出品される前記フランチャイズ型団体専用のオンラインモールを、前記複数の加盟者がそれぞれ操作する複数の加盟者用通信端末機、前記複数の選定品をそれぞれ納品する複数の納品者が操作する複数の納品者用通信端末機、前記ノウハウ提供者が操作するノウハウ提供者用通信端末機及び前記オンラインモールを提供する仲介者が操作する仲介者用通信端末機に表示するオンラインモール表示手段と、
前記加盟者用通信端末機から前記オンラインモールに入力された所定期間内の発注情報又は前記納品者用通信端末機から前記オンラインモールに入力された所定期間内の納品情報のいずれか一方の所定期間内の取引情報を前記納品者ごとにそれぞれ集計して得た納品者別請求額を含む基本請求情報を前記納品者ごとに作成すると共に、前記納品者から前記仲介者に請求する前記基本請求情報を前記複数の納品者用通信端末機及び前記仲介者用通信端末機のうちの少なくとも前記複数の納品者用通信端末機に送信する基本請求処理手段と、
前記一方の所定期間内の取引情報に基づき前記加盟者ごとにそれぞれ集計して得た加盟者別個別請求額に前記仲介者の利益となる仲介料を加算して得た第１加工個別請求額及び複数の前記第１加工個別請求額を合計して得た第１加工合計請求額を含む第１加工請求情報を作成すると共に、前記仲介者から前記ノウハウ提供者に請求する前記第１加工請求情報を前記仲介者用通信端末機及び前記ノウハウ提供者用通信端末機に送信する第１加工請求処理手段と、
を備えることを特徴とするフランチャイズ型団体専用仲介装置。
【請求項２】
前記加盟者が前記オンラインモールの外部で行った外部選定品の取引により生じた所定期間内の外部発注情報又は所定期間内の外部納品情報のいずれか一方の所定期間内の外部取引情報を、前記外部選定品を納品する外部納品者ごとにそれぞれ集計して得た外部納品者別請求額を含む外部請求情報を前記外部納品者ごとに取り込む外部取引情報取込手段と、を更に備えており、
前記第１加工請求処理手段は、前記一方の所定期間内の取引情報だけでなく、前記一方の所定期間内の外部取引情報にも基づいて前記第１加工請求情報を作成する
ことを特徴とする請求項１に記載のフランチャイズ型団体専用仲介装置。
【請求項３】
前記第１加工個別請求額に前記ノウハウ提供者の利益となる前記選定品の許諾料を加算して得た第２加工個別請求額を含む第２加工請求情報を前記加盟者ごとに作成すると共に、前記ノウハウ提供者から前記加盟者に請求する前記第２加工請求情報を前記仲介者用通信端末機、前記ノウハウ提供者用通信端末機及び前記複数の納品者用通信端末機のうちの少なくとも前記ノウハウ提供者用通信端末機に送信する第２加工請求処理手段と、
を更に備えることを特徴とする請求項１又は請求項２に記載のフランチャイズ型団体専用仲介装置。
【請求項４】
前記第２加工請求処理手段は、前記オンラインモールにログインする際に入力されるログイン情報から特定された前記加盟者、前記選定品及び外部選定品がある場合には前記外部選定品のうち、少なくとも前記加盟者又は前記選定品に応じて、前記許諾料を変更する
ことを特徴とする請求項３に記載のフランチャイズ型団体専用仲介装置。
【請求項５】
前記複数の加盟者間で共通する共通表示情報及び前記加盟者ごとに異なる個別表示情報により構成される名刺、看板、チラシ、封筒その他の制作物が前記選定品として前記オンラインモールに出品される場合に、
前記ノウハウ提供者用通信端末機から行われる前記共通表示情報の修正入力に応じて、前記共通表示情報を修正する共通表示情報修正手段と、
前記ノウハウ提供者用通信端末機又は前記加盟者用通信端末機又は前記ノウハウ提供者用通信端末機から行われる前記個別表示情報の修正入力に応じて、前記個別表示情報を修正する個別表示情報修正手段と、
前記共通表示情報及び個別表示情報を記憶する表示情報記憶手段と、
を更に備えることを特徴とする請求項１から請求項４のいずれか１項に記載のフランチャイズ型団体専用仲介装置。
【請求項６】
前記選定品の種類情報を含む新たな選定品情報の入力に応じて、前記オンラインモールに出品されている前記選定品に関する選定品情報から前記新たな選定品情報と同一の前記種類情報を有する選定品情報を検出する同一種検出手段と、
前記検出結果から前記同一の種類情報を有する選定品情報がないことが確認されたことを条件に、前記新たな選定品情報に関する選定品を前記オンラインモールに出品する出品手段と、
を更に備えることを特徴とする請求項１から請求項３のいずれか１項に記載のフランチャイズ型団体専用仲介装置。
【請求項７】
フランチャイズ型団体に加盟する複数の加盟者にノウハウを提供するノウハウ提供者により選定された複数の選定品（選定サービスを含む。）が出品される前記フランチャイズ型団体専用のオンラインモールを、前記複数の加盟者がそれぞれ操作する複数の加盟者用通信端末機、前記複数の選定品をそれぞれ納品する複数の納品者が操作する複数の納品者用通信端末機、前記ノウハウ提供者が操作するノウハウ提供者用通信端末機及び前記オンラインモールを提供する仲介者が操作する仲介者用通信端末機に表示するオンラインモール表示手段と、
前記加盟者用通信端末機から前記オンラインモールに入力された所定期間内の発注情報又は前記納品者用通信端末機から前記オンラインモールに入力された所定期間内の納品情報のいずれか一方の所定期間内の取引情報を前記納品者ごとにそれぞれ集計して得た納品者別請求額を含む基本請求情報を前記納品者ごとに作成すると共に、前記納品者から前記仲介者に請求する前記基本請求情報を前記複数の納品者用通信端末機及び前記仲介者用通信端末機のうちの少なくとも前記複数の納品者用通信端末機に送信する基本請求処理手段と、
前記一方の所定期間内の取引情報に基づき前記加盟者ごとにそれぞれ集計して得た加盟者別個別請求額に前記仲介者の利益となる仲介料を加算して得た第１加工個別請求額及び複数の前記第１加工個別請求額を合計して得た第１加工合計請求額を含む第１加工請求情報を作成すると共に、前記仲介者から前記ノウハウ提供者に請求する前記第１加工請求情報を前記仲介者用通信端末機及び前記ノウハウ提供者用通信端末機に送信する第１加工請求処理手段と、
を備えるフランチャイズ型団体専用仲介装置としてコンピュータを機能させるためのフランチャイズ型団体専用仲介プログラム。
【請求項８】
請求項７に記載のフランチャイズ型団体専用仲介プログラムを記憶することを特徴とする記憶媒体。
【請求項９】
フランチャイズ型団体に加盟する複数の加盟者にノウハウを提供するノウハウ提供者により選定された複数の選定品（選定サービスを含む。）が出品される前記フランチャイズ型団体専用のオンラインモールを、前記複数の加盟者がそれぞれ操作する複数の加盟者用通信端末機、前記複数の選定品をそれぞれ納品する複数の納品者が操作する複数の納品者用通信端末機、前記ノウハウ提供者が操作するノウハウ提供者用通信端末機及び前記オンラインモールを提供する仲介者が操作する仲介者用通信端末機に表示するオンラインモール表示ステップと、
前記加盟者用通信端末機から前記オンラインモールに入力された所定期間内の発注情報又は前記納品者用通信端末機から前記オンラインモールに入力された所定期間内の納品情報のいずれか一方の所定期間内の取引情報を前記納品者ごとにそれぞれ集計して得た納品者別請求額を含む基本請求情報を前記納品者ごとに作成すると共に、前記納品者から前記仲介者に請求する前記基本請求情報を前記複数の納品者用通信端末機及び前記仲介者用通信端末機のうちの少なくとも前記複数の納品者用通信端末機に送信する基本請求処理ステップと、
前記一方の所定期間内の取引情報に基づき前記加盟者ごとにそれぞれ集計して得た加盟者別個別請求額に前記仲介者の利益となる仲介料を加算して得た第１加工個別請求額及び複数の前記第１加工個別請求額を合計して得た第１加工合計請求額を含む第１加工請求情報を作成すると共に、前記仲介者から前記ノウハウ提供者に請求する前記第１加工請求情報を前記仲介者用通信端末機及び前記ノウハウ提供者用通信端末機に送信する第１加工請求処理ステップと、
を備えることを特徴とするフランチャイズ型団体専用仲介方法。